【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
基準信号を発生する発振手段と、該基準信号を分周し分周信号群を出力する分周手段と、該分周信号群を入力し、時計用モータ駆動パルスを発生する時計用モータパルス成形回路と、該時計用モータ駆動パルスを入力し、時計モータを駆動する時計用モータ駆動回路と、該時計モータから発生する誘起電圧によりモータの回転、非回転を検出して回転、非回転信号を出力する時計用モータ回転検出手段と、該回転、非回転信号を入力し、時計用モータ駆動パルスの幅を選択し、補償パルスの出力を制御する時計用モータパルス幅選択手段と、振動モータと該振動モータを駆動する振動モータ駆動回路とにより構成されている電子時計において、前記時計用モータ回転検出手段は、前記振動モータの駆動時に、モータの回転非回転検出を中断すると共に、前記時計用モータパルス幅選択手段は前記振動モータの磁界の影響を受けない補償パルスを選択するための補償パルス許可信号を発生することを特徴とする電子時計。
【請求項２】
時計用モータ回転検出手段は、前記振動モータの駆動終了後、モータの回転、非回転検出を所定時間継続して中断すると共に、時計用モータパルス幅選択手段も所定時間継続して補償パルス許可信号を発生することを特徴とする請求項１記載の電子時計。
【請求項３】
時計用モータ回転検出手段は、所定時間経過後、モータの回転、非回転検出を再開すると共に、時計用モータパルス幅選択手段は所定時間経過後、振動モータの駆動開始時までに選択されていたパルス幅を選択するように構成したことを特徴とする請求項２記載の電子時計。
【手続補正２】
【補正対象書類名】明細書
【補正対象項目名】０００５
【補正方法】変更
【補正の内容】
【０００５】
駆動パルスＩＮ１を出力するとＰｃｈトランジスタＴＰ１はＯＦＦ、ＮｃｈトランジスタＴＮ１はＯＮになる。一方ＰｃｈトランジスタＴＰ２はＯＮ、ＮｃｈトランジスタＴＮ２はＯＦＦになる。よって電流はＰｃｈトランジスタＴＰ２、コイル６及びＮｃｈトランジスタＴＮ１に流れ込むことでロータ７は回転する。その後ＩＮ１の出力が終了すると、ＰｃｈトランジスタＴＰ１がＯＮ、ＮｃｈトランジスタＴＮ１がＯＦＦし、コイル６の両端はＶｄｄにクランプされる。次に逆起検出タイミング信号Ｃ１が発生するとトランジスタＴＰ１、ＮｃｈトランジスタＴＮ１の両方がＯＦＦするためコイル６の片側であるＯ１にはロータ７の回転による逆起電圧波形が発生する。また時点では、図４に示すモータ回
転時の波形例のごとく、逆起電圧波形は充分Ｖｓｓ側に引かれる。よってインバータＩ１のスレッショルド電圧を充分過るためモータ逆起検出信号Ｋは“Ｈ”レベルを出力する。よってモータ逆起検出信号Ｋを入力した時計用モータ回転検出手段は、回転検出信号ＰＯを出力し、時計用モータパルス幅選択手段９はランク信号Ｌ２に移行する。それはランク信号Ｌ１の駆動パルスではモータを回転するためには大きい為で、ランク信号Ｌ１より小さいパルスを出力する為のランク信号Ｌ２が設定されることになる。つまりモータ逆起検出信号Ｋが出力されるごとにランク信号は上がりパルス幅も小さくなる。


【手続補正３】
【補正対象書類名】明細書
【補正対象項目名】０００６
【補正方法】変更
【補正の内容】
【０００６】
次にランク信号Ｌ２に設定した状態で、時計用モータ駆動パルスＩＮ２側が出力され、モータが駆動パルスにより非回転だった場合について説明する。


【手続補正４】
【補正対象書類名】明細書
【補正対象項目名】０００７
【補正方法】変更
【補正の内容】
【０００７】
駆動パルスＩＮ２を出力するとＰｃｈトランジスタＴＰ１はＯＮ、ＮｃｈトランジスタＴＮ１はＯＦＦになる。一方ＰｃｈトランジスタＴＰ２はＯＦＦ、ＮｃｈトランジスタＴＮ２はＯＮになる。よって電流はＰｃｈトランジスタＴＰ１、コイル６及びＮｃｈトランジスタＴＮ２に流れ込むことで一旦ロータ７は回転動作を行う。その後ＩＮ２の出力が終了すると、ＰｃｈトランジスタＴＰ２がＯＮ、ＮｃｈトランジスタＴＮ２がＯＦＦし、コイル６の両端はＶｄｄにクランプされる。次に逆起検出タイミング信号Ｃ２が発生するとトランジスタＴＰ２、ＮｃｈトランジスタＴＮ２の両方がＯＦＦするためコイル６の片側であるＯ２にはロータ７の動作による逆起電圧波形が発生する。しかしロータ７が非回転であったため逆起電圧波形は充分Ｖｓｓ側に引かれることがないためインバータＩ２のシレッショルド電圧を過ることはなくモータ逆起検出信号Ｋは“Ｌ”レベルのままである。よってモータ逆起検出信号Ｋが来ないため時計用モータ検出手段８は、非回転検出信号ＰＮを出力する。よって時計用モータパルス幅選択手段９はランク信号Ｌ１に移行すると共に補償パルス許可信号ＬＦを出力する。つまり図４の時計用モータ非回転時波形例のごとく、モータ駆動信号ＩＮ２は補償パルスを出力する。つまりランク信号Ｌ２の駆動パルスではモータを回転するためにはエネルギー不足である為ランク信号Ｌ１に設定されることになる。つまりモータ逆起検出信号Ｋが出力されない場合ランク信号は下がり駆動パルス幅は大きくなる。


【手続補正５】
【補正対象書類名】明細書
【補正対象項目名】０００８
【補正方法】変更
【補正の内容】
【０００８】
スイッチ１０がＯＮになり、つまりスイッチ信号ＰＳが“Ｈ”になると振動モータ駆
動回路１１は、振動モータ駆動信号ＰＰを出力し、振動モータ１２は駆動を行う。しかし時計用モータ５の駆動中、つまり時計用モータ出力範囲信号ＰＫ出力中は振動モータ駆動信号ＰＰの出力を強制的に停止する。


【手続補正６】
【補正対象書類名】明細書
【補正対象項目名】０００９
【補正方法】変更
【補正の内容】
【０００９】
【発明が解決しようとする課題】
これまで記述してきたように、従来例においては、時計用モータ駆動中は振動モータ駆動を一時強制的に中断することで、振動モータ１２の駆動中に発生する磁界の影響で時計用モータ駆動が動作不良を起すことを回避してきた。しかしそのため振動モータ１２を短時間しか駆動することができず十分な振動を得られないという問題もあった。


【手続補正７】
【補正対象書類名】明細書
【補正対象項目名】００１１
【補正方法】変更
【補正の内容】
【００１１】
【課題を解決するための手段】
前記目的を達成するための本発明の要旨は、基準信号を発生する発振手段と、該基準信号を分周し分周信号群を出力する分周手段と、該分周信号群を入力し、時計用モータ駆動パルスを発生する時計用モータパルス成形回路と、該時計用モータ駆動パルスを入力し、時計モータを駆動する時計用モータ駆動回路と、該時計モータから発生する誘起電圧によりモータの回転、非回転を検出して回転、非回転信号を出力する時計用モータ回転検出手段と、該回転、非回転信号を入力し、時計用モータ駆動パルスの幅を選択し、補償パルスの出力を制御する時計用モータパルス幅選択手段と、振動モータと該振動モータを駆動する振動モータ駆動回路とにより構成されている電子時計において、前記時計用モータ回転検出手段は、前記振動モータの駆動時に、モータの回転非回転検出を中断すると共に、前記時計用モータパルス幅選択手段は前記振動モータの磁界の影響を受けない補償パルスを選択するための補償パルス許可信号を発生することを特徴とする。


【手続補正８】
【補正対象書類名】明細書
【補正対象項目名】００１５
【補正方法】変更
【補正の内容】
【００１５】
スイッチ１０が“ｏｎ”となりスイッチ信号ＰＳが“Ｈ”になると時計用モータ回転検出手段１００はまず時計用モータ出力範囲信号ＰＫが出力されていないか確認を行う。もし出力されていた場合は時計用モータ出力範囲信号ＰＫの出力が完了するまでは、振動モータ駆動回路１１は待機状態となる。時計用モータ出力範囲信号ＰＫの出力が完了すると時計用モータ回転検出手段１００は、振動中信号ＰＸ１及び振動許可信号ＰＸ２を出力する。振動許可信号ＰＸ２を入力した振動モータ駆動回路１１は振動モータ駆動信号ＰＰを出力し、振動モータ１２は振動駆動を開始する。
同時に時計用パルス幅選択手段９は振動中信号ＰＸ１に従いランク信号Ｌ２の出力を停止し、補償パルス許可信号ＬＦのみ出力する。
つまり上記動作によれば、通常時の時計駆動パルスでの動作が確実に終了した時点から振動モータの駆動を許可するものであり、更には、振動モータ駆動中は、振動モータからの磁界に影響されない補償パルスで時計用モータを駆動するので時計用モータ駆動中でも振動モータを連続して駆動することができる。


【手続補正９】
【補正対象書類名】明細書
【補正対象項目名】００１７
【補正方法】変更
【補正の内容】
【００１７】
【発明の効果】
以上の説明で明らかなように、振動モータ駆動時に発生する磁界の影響もなく時計用モータを駆動できる為、充分長い間振動モータ駆動をできる。またコイン型電池等の少量蓄電部材を使用する際振動モータ駆動による電圧降下を考慮し、時計用モータを動作させることで、信頼性の高い振動モータ付き電子時計を実現することが可能となる効果がある。